(57)【要約】【課題】回折格子の位置決め調整を正確に行う上で有利な光ピックアップおよび光ディスク装置を提供する。【解決手段】回折格子４８の取り付けに際して、回折格子４８の光軸の周りに該回折格子４８を回転可能に支持し回折格子４８の光軸と直交する面上における位置決めを行う第１の位置決め部５６０２と、回折格子４８の光軸方向における位置決めを行う第２の位置決め部５６０４とを備えたホルダ５６を設ける。ホルダ５６をベース４２の案内部６０によって回折格子４８の光軸と直交する方向にスライド可能に支持するようにすることで、回折格子４８の位置調整を他の光学部品と独立して行うことができる。【選択図】図２
2009016006.tif 000002
【特許請求の範囲】
【請求項１】
光源から出射された光ビームを回折格子によって少なくとも３つの光ビームに分離して光ディスクに照射し、前記光ディスクで反射された反射光ビームを検出する光ピックアップであって、
ベースと、
前記回折格子を支持するホルダとを備え、
前記ホルダは、前記回折格子の光軸の周りに該回折格子を回転可能に支持し前記回折格子の光軸と直交する面上における位置決めを行う第１の位置決め部と、前記回折格子の光軸方向における位置決めを行う第２の位置決め部とを有し、
前記ベースは、前記ホルダを前記回折格子の光軸と直交する方向にスライド可能に支持する案内部を有し、
前記回折格子は前記第１の位置決め部および前記第２の位置決め部に当て付けられた状態で前記ホルダに取着され、
前記ホルダが前記案内部に支持された状態で、前記スライドする方向と直交する方向から前記ホルダを前記ベースに当て付ける押さえばねが設けられている、
ことを特徴とする光ピックアップ。
【請求項２】
前記回折格子は、該回折格子の光軸を中心とする円筒面からなる外周面を有し、
前記第１の位置決め部は、前記回折格子の外周面の周方向の２箇所に当接する凸部で構成されている、
ことを特徴とする請求項１記載の光ピックアップ。
【請求項３】
前記回折格子は、該回折格子の光軸方向の一方の端部寄りに位置し前記光軸と直交する平面上を延在する環状の回折格子側位置決め面を有し、
前記第２の位置決め部は、前記回折格子側位置決め面に当接する環状の位置決め面で構成されている、
ことを特徴とする請求項１記載の光ピックアップ。
【請求項４】
前記回折格子は、該回折格子の光軸と直交する面上において少なくとも２つの領域に分割されるとともに各領域内に所定の周期構造がそれぞれ形成され、
前記回折格子の光軸は、前記各領域を合わせた領域全体の中心点を通る、
ことを特徴とする請求項１記載の光ピックアップ。
【請求項５】
前記回折格子によって分離される光ビームはメインビームと２つのサブビームであり、
前記光ディスクの記録面には前記メインビームによってメインスポットが形成され、前記２つのサブビームによって２つのサブスポットが形成され、
前記回折格子の各領域の周期構造は、前記２つのサブビームの各々の半面ともう一方の半面との間に１８０度の位相差を与えるとともに、前記光ディスクのトラックに直交する方向における前記メインスポットと２つのサブスポットとの間の間隔がゼロとなるように構成されている、
ことを特徴とする請求項４記載の光ピックアップ。
【請求項６】
前記ホルダに、前記スライドする方向と直交する方向に突出するスライド調整用の凸部が設けられている、
ことを特徴とする請求項１記載の光ピックアップ。
【請求項７】
前記回折格子は、該回折格子の光軸を中心とする円筒面からなる外周面を有し、
前記外周面に、半径方向内側に窪む回転調整用の凹部が設けられている、
ことを特徴とする請求項１記載の光ピックアップ。
【請求項８】
光源から出射された光ビームを回折格子によって少なくとも３つの光ビームに分離して光ディスクに照射し、前記光ディスクで反射された反射光ビームを検出する光ピックアップを有する光ディスク装置であって、
前記光ピックアップは、
ベースと、
前記回折格子を支持するホルダとを備え、
前記ホルダは、前記回折格子の光軸の周りに該回折格子を回転可能に支持し前記回折格子の光軸と直交する面上における位置決めを行う第１の位置決め部と、前記回折格子の光軸方向における位置決めを行う第２の位置決め部とを有し、
前記ベースは、前記ホルダを前記回折格子の光軸と直交する方向にスライド可能に支持する案内部を有し、
前記回折格子は前記第１の位置決め部および前記第２の位置決め部に当て付けられた状態で前記ホルダに取着され、
前記ホルダが前記案内部に支持された状態で、前記スライドする方向と直交する方向から前記ホルダを前記ベースに当て付ける押さえばねが設けられている、
ことを特徴とする光ディスク装置。
【発明の詳細な説明】
【技術分野】
【０００１】
本発明は、光ディスクに信号の記録や再生を行う光ピックアップおよびそのような光ピックアップを有する光ディスク装置に関する。
【背景技術】
【０００２】
従来から光ピックアップのトラッキングエラー信号の検出方式としてＤＰＰ方式（差動プッシュプル方式）が広く用いられている。
ＤＰＰ方式について簡単に説明する。
ＤＰＰ方式では、光源から出射された光ビームを回折格子を用いて３つの光ビームに分離し、その３つの光ビームを対物レンズにより光ディスクの記録面上に集光させることで３つの光スポット、すなわち１つのメインスポットとその両側に形成された２つのサブスポットを形成する。
そして、それら３つのスポットの反射光をそれぞれ３つの受光素子で受光し、各受光素子から検出される検出信号からプッシュプル信号をそれぞれ求め、３つのプッシュプル信号を演算することでオフセット成分が除去されたトラッキングエラー信号を得るものである。
ＤＰＰ方式では、光ディスクのトラックに直交する方向におけるメインスポットと２つのサブビームとの間の間隔をトラックピッチの１／２の寸法に合致させる必要がある。
したがって、ＤＰＰ方式の光ピックアップは、トラックピッチが同一の光ディスクに対してのみ記録および／または再生を行うことができるが、トラックピッチが異なる光ディスクに対する記録および／または再生を行うことは不可能である。
【０００３】
一方、近年、トラックピッチが異なる複数種類の光ディスクを同一の光ピックアップを用いて記録および／または再生を行うことが要請されていることから、メインスポットと２つのサブビームとを同一の案内溝上に配置してもＤＰＰ方式と同様の演算によってトラッキングエラー信号を得ることができる、いわゆるインライン型ＤＰＰ方式が提案されている（特許文献１、２参照）。
このようなインライン型ＤＰＰ方式では、分割された領域にそれぞれ所定の周期構造が設けられた回折格子を用いることで２つのサブビームの各々の半面ともう一方の半面との間に１８０度の位相差を与えるとともに、光ディスクのトラックに直交する方向におけるメインスポットと２つのサブビームとの間の間隔がゼロとなるようにそれらスポットを配置している。
【特許文献１】特許第３５４９３０１
【特許文献２】特許第３７９９３１８
【発明の開示】
【発明が解決しようとする課題】
【０００４】
ところで、このようなインライン型ＤＰＰ方式の光ピックアップでは、所定の周期構造（パターン）が少なくとも２つの領域に分割されて形成された特殊な回折格子を用いる。
この場合、前記回折格子の周期構造全体の中心点を、回折格子を除く他の光学系の光軸に対して正確に一致させることが、プッシュプル信号の品質、すなわち、トラッキングエラー信号の品質を確保する上で重要である。
本発明はこのような事情に鑑みなされたもので、その目的は、回折格子の位置決め調整を正確に行う上で有利な光ピックアップおよび光ディスク装置を提供することにある。
【課題を解決するための手段】
【０００５】
上記目的を達成するために本発明は、光源から出射された光ビームを回折格子によって少なくとも３つの光ビームに分離して光ディスクに照射し、前記光ディスクで反射された反射光ビームを検出する光ピックアップであって、ベースと、前記回折格子を支持するホルダとを備え、前記ホルダは、前記回折格子の光軸の周りに該回折格子を回転可能に支持し前記回折格子の光軸と直交する面上における位置決めを行う第１の位置決め部と、前記回折格子の光軸方向における位置決めを行う第２の位置決め部とを有し、前記ベースは、前記ホルダを前記回折格子の光軸と直交する方向にスライド可能に支持する案内部を有し、前記回折格子は前記第１の位置決め部および前記第２の位置決め部に当て付けられた状態で前記ホルダに取着され、前記ホルダが前記案内部に支持された状態で、前記スライドする方向と直交する方向から前記ホルダを前記ベースに当て付ける押さえばねが設けられていることを特徴とする。
また本発明は、光源から出射された光ビームを回折格子によって少なくとも３つの光ビームに分離して光ディスクに照射し、前記光ディスクで反射された反射光ビームを検出する光ピックアップを有する光ディスク装置であって、前記光ピックアップは、ベースと、前記回折格子を支持するホルダとを備え、前記ホルダは、前記回折格子の光軸の周りに該回折格子を回転可能に支持し前記回折格子の光軸と直交する面上における位置決めを行う第１の位置決め部と、前記回折格子の光軸方向における位置決めを行う第２の位置決め部とを有し、前記ベースは、前記ホルダを前記回折格子の光軸と直交する方向にスライド可能に支持する案内部を有し、前記回折格子は前記第１の位置決め部および前記第２の位置決め部に当て付けられた状態で前記ホルダに取着され、前記ホルダが前記案内部に支持された状態で、前記スライドする方向と直交する方向から前記ホルダを前記ベースに当て付ける押さえばねが設けられていることを特徴とする。
【発明の効果】
【０００６】
本発明によれば、回折格子をベースに取り付けるに際して、ホルダを用いることにより回折格子の位置調整を光源や回折格子以外の光学部品と独立して行えるように構成したので、光源や回折格子以外の光学部品の影響を受けることなく回折格子の中心点を光学系の光軸に正確に位置決めすることができる。
【発明を実施するための最良の形態】
【０００７】
次に本発明の実施の形態について説明する。
まず、本発明の光ピックアップが組み込まれる光ディスク装置について説明する。
図１は、本実施の形態の光ピックアップ１４が組み込まれた光ディスク装置１０の構成を示すブロック図である。
図１に示すように、光ディスク装置１０は、光ディスク２を回転駆動する駆動手段としてのスピンドルモータ１２と、光ピックアップ１４と、光ピックアップ１４をその半径方向に動かす駆動手段としての送りモータ１６とを備えている。ここで、スピンドルモータ１２は、システムコントローラ１８およびサーボ制御部２０により所定の回転数で駆動制御される構成になっている。
【０００８】
光ピックアップ１４は、システムコントローラ１８およびサーボ制御部２０からの指令に従って回転する光ディスク２の信号記録面に対して光ビームを照射する。このような光照射により光ディスク２に対する光信号の記録、再生が行われる。
また、光ピックアップ１４は、光ディスク２の信号記録面からの反射光ビームに基づいて、各種の光ビームを検出し、各光ビームに対応する信号を信号処理部２４に供給できるように構成されている。
信号変復調部およびＥＣＣブロック２２は、信号処理部２４から出力される信号の変調、復調およびＥＣＣ（エラー訂正符号）の付加を行う。
【０００９】
信号処理部２４は、各光ビームに対応する検出信号に基づいてサーボ制御用信号、すなわち、フォーカスエラー信号、トラッキングエラー信号、ＲＦ信号、ランニングＯＰＣ処理に必要なモニタ信号（Ｒ−ＯＰＣ信号）、記録時における光ディスクの回転制御を行うために必要なＡＴＩＰ信号などを生成できるように構成されている。
本実施の形態では、光ピックアップ１４のトラッキングエラー信号の生成方法はインライン型ＤＰＰ方式である。すなわち、後述するように、分割された領域にそれぞれ所定の周期構造が設けられた特殊な回折格子を用いて光源からの光ビームを３つの光ビームに分割することでメインスポットと２つのサブスポットの３つのスポットを光ディスク２の同一の案内溝に形成し、それら３つのスポットを受光して得た検出信号を信号処理部２４によって演算することで得たプッシュプル信号に基づいてトラッキングエラー信号を生成している。
また、再生対象とされる記録媒体の種類に応じて、サーボ制御部２０、信号変調部およびＥＣＣブロック２２等により、これらの信号に基づく復調および誤り訂正処理等の所定の処理が行われる。
ここで、信号変調部およびＥＣＣブロック２２により復調された記録信号が、例えばコンピュータのデータストレージ用であれば、インタフェース２６を介して外部コンピュータ２８等に送出される。これにより、外部コンピュータ２８等は光ディスク２に記録された信号を再生信号として受け取ることができるように構成されている。
【００１０】
また、信号変調部およびＥＣＣブロック２２により復調された記録信号がオーディオ・ビジュアル用であれば、Ｄ／Ａ、Ａ／Ｄ変換器３０のＤ／Ａ変換部でデジタル／アナログ変換され、オーディオ・ビジュアル処理部３２に供給される。そして、このオーディオ・ビジュアル処理部３２でオーディオ・ビデオ信号処理が行われ、オーディオ・ビジュアル信号入出力部３４を介して外部の撮像・映写機器に伝送される。
光ピックアップ１４には送りモータ１６が接続され、送りモータ１６の回転によって光ピックアップ１４が光ディスク２上の所定の記録トラックまで移動されるように構成されている。
サーボ制御部２０は、スピンドルモータ１２、送りモータ１６の制御に加えて、フォーカスエラー信号およびトラッキングエラー信号に基づいて光ピックアップ１４の対物レンズ（不図示）のフォーカシング方向、トラッキング方向の制御を行い、さらに、ラジアルスキューの制御を行なう。
また、レーザ制御部３６は、光ピックアップ１４のレーザ光源を制御するものである。
【００１１】
次に、本実施の形態の光ピックアップ１４について説明する。
図２は光ピックアップ１４の構成を示す分解斜視図、図３は回折格子４８とホルダ５６の分解図、図４は光ピックアップ１４の組み立て図、図５（Ａ）乃至（Ｄ）は光ピックアップ１４の光学系の調整作業の説明図である。
【００１２】
図２に示すように、光ディスク装置１０の筐体を構成する図略のフレーム上で、光ディスク２の記録面と平行する平面上において互いに間隔をおいて平行するメインガイド軸４０Ａ、サブガイド軸４０Ｂが設けられている。
光ピックアップ１４はベース４２を含んで構成され、ベース４２の両側に設けられた軸受け部４２０２Ａ、４２０２Ｂにメインガイド軸４０Ａ、サブガイド軸４０Ｂが挿通されることでベース４２が光ディスク２の半径方向にスライド可能に支持されている。
【００１３】
ベース４２には、図５（Ａ）に示す光源４４と光学系４６が組み込まれている。
本実施の形態では、光学系４６は、回折格子４８と、ビームスプリッタプリズム５０と、ミラー５２と、コリメータレンズ５４と、何れも図示しない対物レンズや受光素子などを含んで構成され、回折格子４８の取り付け構造に本発明が適用されている。
光源４４は、レーザ制御部３６（図１）の制御によって光ビームを出射するものである。
回折格子４８は、光源４４から出射された光ビームをメインビームと２つのサブビームとの３つの光ビームに分離するものであり、後で詳述する。
ビームスプリッタプリズム５０は光源４４から光ディスク２に導かれる光ビームの光路（往路の光路）と、光ディスクで反射された反射光ビームを前記受光素子に導く光路（復路の光路）とを分離するものである。
コリメータレンズ５４はビームスプリッタプリズム５０を介して導かれた３つの光ビームを収束して前記対物レンズに導くものである。
前記対物レンズはコリメータレンズ５４から導かれた３つの光ビームを光ディスク２の記録面上に収束してメインスポットと２つのサブスポットとを形成するものである。
また、対物レンズは、それら３つのスポットが記録面で反射された３つの反射光ビームをコリメータレンズ５４、ビームスプリッタプリズム５０を介して前記受光素子に導くものである。
前記受光素子は３つの反射光ビームを受光することで検出信号を生成するものであり、本実施の形態では、各スポットに対応して３つの受光素子が設けられている。
例えば、メインスポット用の受光素子は４つに分割され、２つのサブスポット用の受光素子はそれぞれ２つに分割されている。
そして、信号処理部２４（図１）は、メインスポット用の受光素子から出力される検出信号に基づいてメインプッシュプル信号を演算するとともに、２つのサブスポット用の受光素子から出力される検出信号に基づいて２つのサブプッシュプル信号を演算する。
さらに、信号処理部２４は、２つのサブプッシュプル信号を加算した信号と、メインプッシュプル信号との差を演算することでトラッキングエラー信号（ディファレンシャルプッシュプル信号）を得る。
【００１４】
次に本発明の要旨である回折格子４８の取り付け構造について説明する。
図２に示すように、光ピックアップ１４は、ホルダ５６と押さえばね５８とを備え、これらホルダ５６と押さえばね５８によって回折格子４８がベース４２に取り付けられている。
【００１５】
まず、回折格子４８について詳細に説明する。
図６（Ａ）は回折格子４８の平面図、（Ｂ）は（Ａ）のＢＢ線断面図、（Ｃ）は（Ａ）のＣ矢視図である。
図６（Ａ）乃至（Ｃ）に示すように、回折格子４８は合成樹脂製で扁平な円柱状を呈する基体４９を有し、基体４９の厚さ方向の一方の面でその中央部に格子面４８Ａが形成されている。
また、基体４９の外周には円筒面状の外周面４８１０が形成され、厚さ方向において格子面４８Ａと反対の面に環状の回折格子側位置決め面４８１２が形成されている。
【００１６】
格子面４８Ａは、回折格子４８の光軸と直交する平面上を延在し、かつ、前記光軸を中心とする円形の領域４８０２で形成されている。
図６（Ａ）に示すように、円形の領域４８０２は、第１乃至第３の領域４８０２Ａ、４８０２Ｂ、４８０２Ｃの３つの領域に分割されている。
回折格子４８の光軸は、第１乃至第３の領域４８０２Ａ、４８０２Ｂ、４８０２Ｃを合わせた円形の領域４８０２の中心点４８０１を通っている。
第１乃至第３の領域４８０２Ａ、４８０２Ｂ、４８０２Ｃ内には所定の周期構造がそれぞれ形成されている。
本実施の形態では、第１の領域４８０２Ａは、円形の領域４８０２の直径に沿って帯状に延在する幅が一定の領域となっている。
また、第２、第３の領域４８０２Ｂ、４８０２Ｃは同形同大に形成され第１の領域４８０２Ａの両側に位置する略半円状の領域となっている。
すなわち、回折格子４８は、該回折格子４８の光軸と直交する面上において少なくとも２つの領域に分割されるとともに各領域内に所定の周期構造がそれぞれ形成されていることになる。
前述したように、光源４４から出射された光ビームは、回折格子４８によってメインビームと２つのサブビームとに分離され、光ディスク２の記録面にはメインビームによってメインスポットが形成され、２つのサブビームによって２つのサブスポットが形成される。
【００１７】
そして、回折格子４８の第１乃至第３の領域４８０２Ａ、４８０２Ｂ、４８０２Ｃのそれぞれの周期構造は、２つのサブビームの各々の半面ともう一方の半面との間に１８０度の位相差を与えるとともに、光ディスク２のトラックに直交する方向におけるメインスポットと２つのサブスポットとの間の間隔がゼロとなるように構成されている。
本実施の形態では、外周面４８１０には半径方向内側に窪む回転調整用の治具係合用凹部４８２０が形成されている。
【００１８】
次にホルダ５６について説明する。
図７（Ａ）はホルダ５６の平面図、（Ｂ）は（Ａ）のＢ矢視図、（Ｃ）は（Ａ）のＣ矢視図、（Ｄ）は（Ｃ）のＤ矢視図、（Ｅ）は（Ａ）のＥＥ線断面図である。
回折格子４８はホルダ５６に取着される。
図３、図７（Ａ）乃至（Ｅ）に示すように、ホルダ５６は、第１の位置決め部５６０２と、第２の位置決め部５６０４とを有している。
すなわち、ホルダ５６は矩形板状の本体部５６１０を含んで構成され、本体部５６１０には、光源４４から出射された光ビームを回折格子４８の格子面４８Ａに導く光路を確保する開口５６１６が形成されている。
第１の位置決め部５６０２は、回折格子４８の光軸の周りに該回折格子４８を回転可能に支持し回折格子４８の光軸と直交する面上における位置決めを行うものである。
本実施の形態では、第１の位置決め部５６０２は、回折格子４８の外周面４８１０の周方向の４箇所に当接する４つの凸部５６１２で構成され、それら凸部５６１２は本体部５６１０の厚さ方向の一方の平坦な面５６１０Ａに設けられている。
第２の位置決め部５６０４は、回折格子４８の光軸方向における位置決めを行うものである。
本実施の形態では、第２の位置決め部５６０４は、回折格子側位置決め面４８１２に当接する環状の位置決め面５６１４を有し、この位置決め面５６１４は、本体部５６１０の厚さ方向の一方の面５６１０Ａで開口５６１６の外周に位置する箇所で構成されている。
【００１９】
回折格子４８は、第１の位置決め部５６０２および第２の位置決め部５６０４に当て付けられた状態でホルダ５６に取着される。
また、本実施の形態では、本体部５６１０の厚さ方向の他方の平坦な面５６１０Ｂに起立部５６１８が直角に起立され、本体部５６１０の厚さ方向の他方の面５６１０Ｂと起立部５６１８とが直交することで被案内部５６２０が構成されている。
また、本実施の形態では、起立部５６１８が他方の面５６１０Ｂと反対側に臨む面にはスライド調整用の治具係合用凸部５６２２が突設されている。
【００２０】
次にベース４２について説明する。
図９はベース４２からカバー６２を取り外した斜視図、図１０はベース４２にカバー６２を取り付けた斜視図、図１１はベース４２の収容凹部４２０２部分の斜視図、図１２はベース４２の収容凹部４２０２に回折格子４８とホルダ５６が収容された斜視図である。
図１１に示すようにベース４２は、ホルダ５６の案内部６０を有している。
案内部６０は、回折格子４８が取着されたホルダ５６を回折格子４８の光軸と直交する方向にスライド可能に支持するものである。
本実施の形態では、図１１、図１２に示すように、ベース４２にホルダ５６よりも大きな輪郭の収容凹部４２０２が形成されている。
図１１に示すように、収容凹部４２０２を構成するベース４２の壁面のうち、対向する壁面４２０４から案内レール６００２が同一軸線に沿って突設されている。
各案内レール６００２は互いに直交して交差する２つの側面６００４を有しており、これら２つの側面６００４がホルダ５６の被案内部５６２０を構成する他方の面５６１０Ｂと起立部５６１８とに係合することで、図９、図１２に示すように、ホルダ５６は回折格子４８の光軸と直交する方向にスライド可能に支持される。
すなわち、本実施の形態では、ホルダ５６を案内する案内部６０が案内レール６００２によって構成されている。
【００２１】
次に押さえばね５８について説明する。
図８（Ａ）は押さえばね５８が設けられたカバー６２の平面図、（Ｂ）は（Ａ）のＢ矢視図である。
図１０、図１２に示すように、押さえばね５８は、ホルダ５６が案内部６０に支持された状態で、前記スライドする方向と直交する方向からホルダ５６をベース４２に当て付けるものである。
本実施の形態では、図２、図４に示すように、ベース４２を覆うカバー６２がベース４２に着脱可能に取着されており、押さえばね５８はカバー６２に一体的に形成されている。
押さえばね５８の態様は種々考えられ、例えば、図４に示す態様や図８、図１２に示す態様が挙げられる。
図４に示す態様では、押さえばね５８は、互いに分離された２つのばね片５８０２で構成され、図８、図１２に示す態様では、押さえばね５８は、互いに平行する２つのばね片５８０４とそれらの先端を接続する接続片５８０６とで構成されている。
【００２２】
図８（Ａ）、（Ｂ）に示すように、カバー６２は、略矩形板状に形成された板金製の本体板部６２０２を含み、図４に示すように、本体板部６２０２に形成された複数のねじ挿通孔を挿通したねじがベース４２に設けられたねじ孔に締結されることでカバー６２がベース４２に取り付けられている。
図４、図１２に示すように、カバー６２がベース４２に取り付けられた状態で、押さえばね５８は、ベース４２の収容凹部４２０２の内側においてホルダ５６の起立部５６１８箇所に当接することでホルダ５６の被案内部５６２０を案内レール６００２に押圧しており、これにより、ホルダ５６が案内部６０に支持された状態で、スライドする方向と直交する方向からホルダ５６がベース４２に当て付けられることになる。
また、本実施の形態では、図４、図１２に示すように、押さえばね５８の内部に形成された間隙を介して回折格子４８の治具係合用凹部４８２０が露出しており、調整用治具の治具係合用凹部４８２０への係合が容易となるように図られている。
また、本実施の形態では、図４、図１２に示すように、ベース４２の収容凹部４２０２の内側においてホルダ５６の治具係合用凸部５６２２が露出しており、調整用治具の治具係合用凸部５６２２への係合が容易となるように図られている。
【００２３】
次に、図５を参照して光ピックアップ１４の組み立て調整について説明する。
なお、図５において、破線は設計通りに光学系４６が配置され機能した場合において光源４４からの光ビームが光ディスク２へ導かれる際の往路の光軸Ｌ０を示し、実線は部品誤差や組み立て誤差を含む光学系４６の往路の光軸Ｌ１を示している。
まず、光源４４と光学系４６をベース４２に組み込む（図５（Ａ））。
すなわち、ビームスプリッタプリズム５０、ミラー５２、コリメータレンズ５４、前記受光素子などをベース４２に組み付ける。また、前記対物レンズをレンズホルダを介してフォーカス方向およびトラッキング方向に移動可能に支持された状態でベース４２に組み付ける。
また、図１２に示すように、回折格子４８をホルダ５６に取着した状態でベース４２に組み付け、押さえばね５８によってホルダ５６をベース４２に当て付ける。
この状態では、図５（Ａ）に示すように、光学系４６のうちの例えばミラー５２の部品誤差や組み立て誤差に起因して実際の光軸Ｌ１は設計上の光軸Ｌ０に対してずれることになる。
したがって、光軸Ｌ１上から外れた位置に光源４４の発光点が位置することになる。
【００２４】
次に、光源４４の発光点調整を行う（図５（Ｂ））。
すなわち、光源４４を発光させ、光学系４６を通過して出射される光ビームの位置を検出しながら、光源４４を光軸Ｌ１と直交する平面上で直交するＸ方向およびＹ方向に動かして光源４４の発光点を実線で示す光軸Ｌ１上に位置させる。
【００２５】
次に、光源４４の発散角の調整を行う（図５（Ｃ）。
すなわち、光源４４をその発光点を中心として揺動させることで光源４４から出射される光ビームの発散角を光軸Ｌ１と合致させる。
発散角調整が完了したならば光源４４を接着剤によってベース４２に接着して固定する。
【００２６】
最後に、回折格子４８の位置調整を行う（図５（Ｄ））。
すなわち、ホルダ５６の治具係合用凸部５６２２に調整治具を係合させ、調整治具を用いてホルダ５６をスライドさせることにより回折格子４８の中心点４８０１を光軸Ｌ１と合致させる。
そして、回折格子４８の治具係合用凹部４８２０に調整治具を係合させ、調整治具を用いて回折格子４８を回折格子４８の光軸周りに回転させることによって、回折格子４８によって分離された３つの光ビームによって光ディスク２の記録面上に形成される３つのスポット位置を光ディスク２の同一の案内溝上に位置させる。
調整が完了したならば回折格子４８を接着剤によってホルダ５６とともにベース４２に接着して固定する。
【００２７】
以上説明したように本実施の形態によれば、回折格子４８の取り付けに際して、回折格子４８の光軸の周りに該回折格子４８を回転可能に支持し回折格子４８の光軸と直交する面上における位置決めを行う第１の位置決め部５６０２と、回折格子４８の光軸方向における位置決めを行う第２の位置決め部５６０４とを備えたホルダ５６を設け、このホルダ５６をベース４２の案内部６０によって回折格子４８の光軸と直交する方向にスライド可能に支持するようにすることで、回折格子４８の位置調整を光源４４や回折格子以外の光学部品と独立して行えるように構成した。
したがって、回折格子４８を除く光学系４６と光源４４の位置調整によって光源４４か光ディスク２に導かれる光ビームの往路の光軸Ｌ１を決定したのち、この光軸Ｌ１に対して回折格子４８の領域４８０２全体の中心点４８０１を正確に合致させることができ、言い換えると、光源や回折格子以外の光学部品の影響を受けることなく回折格子４８を正確に位置決めすることができ、したがって、プッシュプル信号の品質、すなわち、トラッキングエラー信号の品質を確保する上で有利となる。
【００２８】
次に本実施の形態を比較例と比較してさらに説明する。
図１３（Ａ）乃至（Ｄ）は比較例の光ピックアップにおける光学系の調整作業の説明図である。なお、以下の比較例においては、実施の形態と同様の部分、部材には同一の符号を付して説明する。
比較例の光ピックアップでは、図１３（Ａ）に示すように、ハウジング７０上に光源４４と回折格子７２が設けられた光源サブアセンブリ７４が用いられている。
すなわち、光源４４と回折格子７２は、光源４４の発光点が回折格子７２の光軸上に位置するように位置調整されてハウジング７０に組み付けられ、かつ、光源４４はその発光点を中心に揺動可能となるように設けられている。
光ピックアップを調整するに際しては、光源サブアセンブリ７２をベース４２に組み付け、光学系を構成するビームスプリッタプリズム５０、ミラー５２、コリメータレンズ５４、前記受光素子、前記対物レンズなどをベース４２に組み付ける（図１３（Ｂ））。
【００２９】
次に、光源４４の発光点調整を行う（図１３（Ｃ））。
すなわち、光源４４を発光させ、光学系４６を通過して出射される光ビームの位置を検出しながら、光源サブアセンブリ７４を光軸Ｌ１と直交する平面上で直交するＸ方向およびＹ方向に動かして光源４４の発光点を実線で示す光軸Ｌ１上に位置させる。
発光点調整が完了したならば光源サブアセンブリ７４のハウジング７０を接着剤によってベース４２に接着して固定する。
この状態では、光源４４の発光点が光軸Ｌ１上に位置しているものの、発光点調整によって光源サブアセンブリ７４とともに回折格子７２が移動するため回折格子７２の中心点は光軸Ｌ１から外れている。
【００３０】
次に、光源４４の発散角の調整を行う（図１３（Ｄ））。
すなわち、ハウジング７０上において光源４４をその発光点を中心として揺動させることで光源４４から出射される光ビームの発散角を光軸Ｌ１と合致させる。
発散角調整が完了したならば光源４４を接着剤によってハウジング７０に接着して固定する。
したがって、回折格子７２の中心点は光軸Ｌ１からずれたままとなっている。
【００３１】
すなわち、比較例では、回折格子７２と光源４４とが予め位置調整された光源サブアセンブリ７４を用いていることから、光源４４や回折格子７２以外の光学部品に起因する光軸Ｌ１のずれに対応して回折格子７２の領域全体の中心点を光軸Ｌ１に合致させることが困難となっている。
そのため、プッシュプル信号の品質、すなわち、トラッキングエラー信号の品質を確保する上で不利がある。
【００３２】
実施の形態と比較例との調整手順を比較してさらに説明する。
図１４は実施の形態における光ピックアップ１４の調整手順を示す説明図、図１５は比較例における光ピックアップの調整手順を示す説明図である。
図１４に示すように、実施の形態では、回折格子４８をホルダ５６を介してベース４２に取り付け、また、光源４４や他の光学部品をベース４２に取り付けて組み立て、次いで光源４４の発光点調整および発散角調整を行うことで光ビームの往路の光軸Ｌ１が完成する。
そして、光ビームの往路が完成したのち、回折格子４８の中心点４８０１を光軸Ｌ１に合致させるように位置調整を行っている。
そのため、回折格子４８の中心点４８０１を光軸Ｌ１に対して正確に合致させることが可能となっている。
これに対して、比較例では、図１５に示すように、光源４４と回折格子７２とを予め位置調整してハウジング７０に組み付けることで光源サブアセンブリ７４を構成し、その光源サブアセンブリ７４をベース４２に組み付ける。
次いで、他の光学部品をベース４２に組み付けて光源４４の発光点調整および発散角調整を行っている。
したがって、回折格子７２の中心点が光ビームの往路の光軸Ｌ１に対してずれてしまうことが避けられないものとなっているのである。
【００３３】
次に、インライン型ＤＰＰ方式において回折格子の中心点を光ビームの往路の光軸に正確に合致させることの重要度について、一般的なＤＰＰ方式と比較して説明する。
図１６は対物レンズのトラッキング方向のずれ量とメインプッシュプル信号およびサブプッシュプル信号のレベルとの関係を示す線図、図１７は対物レンズのトラッキング方向のずれ量とディファレンシャルプッシュプル信号のレベルとの関係を示す線図である。
図１６、図１７において、横軸は対物レンズの光軸と光ディスクの案内溝の中心とのトラッキング方向におけるずれ量（視野）をｍｍ単位で示している。対物レンズの光軸と光ディスクの案内溝の中心とが合致すればずれ量はゼロとなる。
また、図１６において縦軸はメインプッシュプル信号およびサブプッシュプル信号のレベルを電圧値で示し、図１７において縦軸はメインプッシュプル信号およびサブプッシュプル信号から演算により求められたディファレンシャルプッシュプル信号（トラッキングエラー信号）のレベルを電圧値で示している。
【００３４】
図１６において各符号は以下の信号を示す。
なお、以下において、一般的なＤＰＰ方式ではＤＰＰ方式に対応する通常の回折格子が使用されており、インライン型ＤＰＰ方式では本実施の形態の回折格子４８が使用されている。
符号Ａ：一般的なＤＰＰ方式におけるメインプッシュプル信号ＭＰＰ
符号Ｂ：一般的なＤＰＰ方式におけるサブプッシュプル信号ＳＰＰ
（通常の回折格子（ＧＲＴ）を用いて±Ｒ系にて０．５本＝１／２トラックに回折格子角度を調整してＲＡＭを読んだときのＳＰＰレベル）
符号Ｃ：本実施の形態のインライン型ＤＰＰ方式におけるサブプッシュプル信号ＳＰＰ
（往路の光軸に対する回折格子の中心点のずれ量（偏心）が０．０ｍｍ）
符号Ｄ：本実施の形態のインライン型ＤＰＰ方式におけるサブプッシュプル信号ＳＰＰ
（往路の光軸に対する回折格子の中心点のずれ量（偏心）が０．２ｍｍ）
符号Ｅ：本実施の形態のインライン型ＤＰＰ方式におけるサブプッシュプル信号ＳＰＰ
（往路の光軸に対する回折格子の中心点のずれ量（偏心）が０．４ｍｍ）
【００３５】
図１７において各符号は以下の信号を示す。
符号Ｇ：一般的なＤＰＰ方式におけるディファレンシャルプッシュプル信号ＤＰＰ
（通常の回折格子（ＧＲＴ）を用いてＲＡＭのトラックピッチに対して０．５本＝１／２トラックに回折格子角度を調整してＲＡＭを読んだときのＤＰＰレベル）
符号Ｈ：一般的なＤＰＰ方式におけるディファレンシャルプッシュプル信号ＤＰＰ
（通常の回折格子（ＧＲＴ）を用いて±Ｒにて０．５本＝１／２トラックに回折格子角度を調整してＲＡＭを読んだときのＤＰＰレベル）
符号Ｉ：本実施の形態のインライン型ＤＰＰ方式におけるディファレンシャルプッシュプル信号ＤＰＰ
（往路の光軸に対する回折格子の中心点のずれ量（偏心）が０．０ｍｍ）
符号Ｊ：本実施の形態のインライン型ＤＰＰ方式におけるディファレンシャルプッシュプル信号ＤＰＰ
（往路の光軸に対する回折格子の中心点のずれ量（偏心）が０．２ｍｍ）
符号Ｋ：本実施の形態のインライン型ＤＰＰ方式におけるディファレンシャルプッシュプル信号ＤＰＰ
（往路の光軸に対する回折格子の中心点のずれ量（偏心）が０．４ｍｍ）
【００３６】
図１６に示すように、インライン型ＤＰＰ方式のサブプッシュプル信号ＳＰＰ（符号Ｄ、Ｅ）では、ずれ量が約−０．３５ｍｍよりも大きくなるとサブプッシュプル信号ＳＰＰのレベルの大きさが反転する（レベルが再び増加する）傾向となり、対物レンズの光軸と光ディスクの案内溝の中心とのトラッキング方向におけるずれ量（視野）がゼロの位置を中心として、サブプッシュプル信号ＳＰＰの対称性が崩れており信号品質が低下している。
そのため、図１７に示すように、インライン型ＤＰＰ方式のディファレンシャルプッシュプル信号ＤＰＰ（符号Ｊ、Ｋ）においても対物レンズの光軸と光ディスクの案内溝の中心とのトラッキング方向におけるずれ量（視野）がゼロの位置を中心として、ディファレンシャルプッシュプル信号ＤＰＰのレベルの対称性が崩れており、ディファレンシャルプッシュプル信号ＤＰＰの信号品質が低下している。
したがって、本実施の形態の光ピックアップ１４では、往路の光軸に対する回折格子４８の中心点のずれ量（偏心）が０．２ｍｍ以上となると、サブプッシュプル信号ＳＰＰやディファレンシャルプッシュプル信号ＤＰＰの信号品質が低下することがわかる。
これに対して、一般的なＤＰＰ方式では、図１６のサブプッシュプル信号ＳＰＰ（符号Ｂ）、図１７のディファレンシャルプッシュプル信号ＤＰＰ（符号Ｇ、Ｈ）に示すように、回折格子のずれによる各信号の品質低下が顕著ではないことがわかる。
以上のとおり、インライン型ＤＰＰ方式は、一般的なＤＰＰ方式に比較して、往路の光軸に対する回折格子４８の中心点のずれ量（偏心）が各プッシュプル信号に与える影響が非常に大きく、したがって、インライン型ＤＰＰ方式では、往路の光軸に対して回折格子４８の中心点を正確に合致させることが必要であることがわかる。
本実施の形態では、このようなインライン型ＤＰＰ方式の光ピックアップ１４において、往路の光軸に対して回折格子４８の中心点を正確に合致させることにより、各プッシュプル信号の対称性（視野特性の対称性）の向上を図れ、言い換えると、視野特性の向上を図れ、トラッキングエラー信号の品質の向上を図る上で有利となる。
また、このような視野特性の向上を図ることで、視野特性の検査を廃止することができコストダウンを図る上でも有利となる。
【００３７】
なお、本実施の形態では、回折格子４８として所定の周期構造が形成されている領域４８０２が３つの領域４８０２Ａ、４８０２Ｂ、４８０２Ｃに分割されている場合について説明したが、回折格子の所定の周期構造が形成されている領域は２分割されていても、あるいは、４分割以上されていてもよく、要は、回折格子が光源からの光ビームを分割してインライン型ＤＰＰ方式が可能なスポットを得ることができるように構成されていればよい。
【図面の簡単な説明】
【００３８】
【図１】本実施の形態の光ピックアップ１０を組み込んだ光ディスク２装置１００の構成を示すブロック図である。
【図２】光ピックアップ１４の構成を示す分解斜視図である。
【図３】回折格子４８とホルダ５６の分解図である。
【図４】光ピックアップ１４の組み立て図である。
【図５】（Ａ）乃至（Ｄ）は光ピックアップ１４の光学系の調整作業の説明図である。
【図６】（Ａ）は回折格子４８の平面図、（Ｂ）は（Ａ）のＢＢ線断面図、（Ｃ）は（Ａ）のＣ矢視図である。
【図７】（Ａ）はホルダ５６の平面図、（Ｂ）は（Ａ）のＢ矢視図、（Ｃ）は（Ａ）のＣ矢視図、（Ｄ）は（Ｃ）のＤ矢視図、（Ｅ）は（Ａ）のＥＥ線断面図である。
【図８】（Ａ）はカバー６２の平面図、（Ｂ）は（Ａ）のＢ矢視図である。
【図９】ベース４２からカバー６２を取り外した斜視図である。
【図１０】ベース４２にカバー６２を取り付けた斜視図である。
【図１１】ベース４２の収容凹部４２０２部分の斜視図である。
【図１２】ベース４２の収容凹部４２０２に回折格子４８とホルダ５６が収容された斜視図である。
【図１３】（Ａ）乃至（Ｄ）は比較例の光ピックアップにおける光学系の調整作業の説明図である。
【図１４】実施の形態における光ピックアップの調整手順を示す説明図である。
【図１５】比較例における光ピックアップの調整手順を示す説明図である。
【図１６】対物レンズのトラッキング方向のずれ量とメインプッシュプル信号およびサブプッシュプル信号のレベルとの関係を示す線図である。
【図１７】対物レンズのトラッキング方向のずれ量とディファレンシャルプッシュプル信号のレベルとの関係を示す線図である。
【符号の説明】
【００３９】
２……光ディスク、１０……光ディスク装置、１４……光ピックアップ、４２……ベース、４４……光源、４８……回折格子、５６……ホルダ、５６０２……第１の位置決め部、５６０４……第２の位置決め部、５８……押さえばね、６０……案内部。
【図１】
2009016006.tif 000003
【図２】
2009016006.tif 000004
【図３】
2009016006.tif 000005
【図４】
2009016006.tif 000006
【図５】
2009016006.tif 000007
【図６】
2009016006.tif 000008
【図７】
2009016006.tif 000009
【図８】
2009016006.tif 000010
【図９】
2009016006.tif 000011
【図１０】
2009016006.tif 000012
【図１１】
2009016006.tif 000013
【図１２】
2009016006.tif 000014
【図１３】
2009016006.tif 000015
【図１４】
2009016006.tif 000016
【図１５】
2009016006.tif 000017
【図１６】
2009016006.tif 000018
【図１７】
2009016006.tif 000019